(57)【要約】  本発明は、携帯電子装置（１０）の電気インタフェース（１６）に接続するための付属品（１８）に関するものであって、該電気インタフェース（１６）は、付属品に提供可能な信号供給素子（２２）をバイアスする第１の接続点（４２）及び第２の接続点（４４）を含む１対のバイアス電圧供給接続点を具備する。前記付属品は、第１の分圧素子（Ｒ１）と、機械的に作動可能な第１のスイッチ（３２）とを具備する電気的な第１の岐路とを含む。該岐路は、対のうち一方の接続点（４２）に接続される第１の端部と、別の接続点（４６）に接続される第２の端部とを有し、前記第１のスイッチが第１の分圧素子と第１の端部に接続された接続点とを相互に接続した場合に、第１の端部に接続された接続点の電圧レベルは特定の電圧レベルに変化する。
2009529815.tif 000002
【特許請求の範囲】
【請求項１】
携帯電子装置の電気インタフェースに接続するための付属品であって、該電気インタフェースは、付属品に提供可能な信号供給素子をバイアスする第１の接続点及び第２の接続点を含む１対のバイアス電圧供給接続点を具備しており、
第１の組の岐路の中の少なくとも１つの電気的な第１の岐路を具備し、前記第１の岐路は、
第１の分圧素子と、
機械的に作動可能な第１のスイッチと、を具備し、
前記第１の岐路は、前記１対のバイアス電圧供給接続点のうち一方の接続点に接続される第１の端部と、前記電気インタフェースの別の接続点に接続される第２の端部とを有し、前記第１のスイッチが前記第１の分圧素子と前記第１の端部に接続された接続点とを相互に接続した場合に、前記第１の端部に接続された接続点の電圧レベルをある特定の電圧レベルに変化させることを特徴とする付属品。
【請求項２】
前記第１の組の岐路の中の第２の岐路を更に具備し、前記第２の岐路は、第２の分圧素子と、機械的に作動可能な第２のスイッチとを具備し、前記第２の岐路は、前記第１の岐路と同一の接続点に接続される第１の端部及び第２の端部を有し、前記第２の分圧素子は、前記第２のスイッチが前記第２の分圧素子と前記第１の端部に接続された接続点とを相互に接続した場合に、前記第１の端部に接続された接続点の電圧レベルを、第１の接続点に接続可能である他の岐路により供給される電圧レベルとは異なる特定の電圧レベルに変化させることを特徴とする請求項１記載の付属品。
【請求項３】
前記第１の組の岐路の中の第３の岐路を更に具備し、前記第３の岐路は、機械的に作動可能な第３のスイッチのみを具備し且つ前記第１の岐路と同一の接続点に接続される第１の端部及び第２の端部を有し、前記第３の岐路は、前記第３のスイッチが前記２つの接続点を相互に接続した場合に、前記第１の端部に接続された接続点の電圧レベルを、第１の接続点に接続可能である他の岐路により供給される電圧レベルとは異なる特定の電圧レベルに変化させることを特徴とする請求項１又は２記載の付属品。
【請求項４】
他方の接続点は一定の基準電圧レベルを供給する接続点であることを特徴とする請求項１乃至３のいずれか１項に記載の付属品。
【請求項５】
前記他方の接続点は接地電位を供給する第３の接続点であり、前記１対のバイアス電圧供給接続点のうち前記一方の接続点は前記第１の接続点であり、前記第１の接続点は、前記携帯電子装置の電圧源に内部接続されていることを特徴とする請求項４記載の付属品。
【請求項６】
前記他方の接続点は供給電圧を供給する第３の接続点であり、前記１対のバイアス電圧供給接続点のうち前記一方の接続点は前記第２の接続点であり、前記第２の接続点は、前記携帯電子装置の接地点に内部接続されていることを特徴とする請求項４記載の付属品。
【請求項７】
前記他方の接続点は前記１対のバイアス電圧供給接続点のうち他方の接続点であることを特徴とする請求項１乃至３のいずれか１項に記載の付属品。
【請求項８】
信号供給素子を更に具備し、各岐路の各スイッチは２つの位置を有し、第１の位置は前記岐路を前記対のうち一方の接続点に接続し、第２の位置は前記信号発生素子の一端部を前記対のうち前記一方の接続点に接続し、前記信号供給素子の別の端部は前記対のうち他方の接続点に接続されることを特徴とする請求項１乃至７のいずれか１項に記載の付属品。
【請求項９】
前記信号供給素子は調整可能な分圧素子であることを特徴とする請求項８記載の付属品。
【請求項１０】
前記信号供給素子はマイクロホンであることを特徴とする請求項８記載の付属品。
【請求項１１】
全ての分圧素子は受動素子であることを特徴とする請求項１乃至１０のいずれか１項に記載の付属品。
【請求項１２】
第２の組の岐路を更に具備し、前記第２の組の岐路は、
分圧素子及び機械的に作動可能なスイッチを具備する少なくとも１つの電気的な岐路を具備し、
前記岐路は、前記第２の接続点に接続される第１の端部と、基準電圧を供給する第４の接続点に接続される第２の端部とを有し、前記スイッチが前記分圧素子と前記第２の接続点とを相互に接続した場合に、前記第２の接続点の電圧レベルを特定の電圧レベルに変化させることを特徴とする請求項５記載の付属品。
【請求項１３】
前記第２の組の岐路の中の別の岐路を具備し、前記別の岐路は別の分圧素子と、機械的に作動可能な別のスイッチとを有し、前記別の岐路は、前記第２の組の岐路の中の前記１つの岐路と同一の接続点に接続される第１の端部及び第２の端部を有し、前記別の分圧素子は、前記別のスイッチが前記別の分圧素子と前記第２の接続点とを相互に接続した場合に、前記第２の接続点の電圧レベルを、前記第２の接続点に接続可能である他の岐路により供給される電圧レベルとは異なる特定の電圧レベルに変化させることを特徴とする請求項１２記載の付属品。
【請求項１４】
第３の組の岐路を更に具備し、前記第３の組の岐路は、
分圧素子及び機械的に作動可能なスイッチを具備する少なくとも１つの電気的な岐路を具備し、
前記岐路は、前記第１の接続点に接続される第１の端部と、前記第２の接続点に接続される第２の端部とを有し、前記スイッチが前記分圧素子と前記第１の接続点とを相互に接続した場合に、前記第１の接続点の電圧レベルを前記第１の接続点に接続可能である他の岐路により供給される電圧レベルとは異なる特定の電圧レベルに変化させることを特徴とする請求項１２又は１３記載の付属品。
【請求項１５】
前記第３の組の岐路の中の別の岐路を具備し、前記別の岐路は別の分圧素子と、機械的に作動可能な別のスイッチとを有し、前記別の岐路は、前記第３の組の前記１つの岐路と同一の接続点に接続される第１の端部及び第２の端部を有し、前記別の分圧素子は、前記別のスイッチが前記別の分圧素子と前記第１の接続点とを相互に接続した場合に、前記第１の接続点の電圧レベルを前記第１の接続点に接続可能である他の岐路により供給される電圧レベルとは異なる特定の電圧レベルに変化させることを特徴とする請求項１４記載の付属品。
【請求項１６】
前記第３の組の岐路の中の別の岐路を具備し、前記別の岐路は、機械的に作動可能な別のスイッチのみを具備し且つ前記第３の組の岐路の中の前記１つの岐路と同一の接続点に接続される第１の端部及び第２の端部を有し、前記別の岐路は、前記別のスイッチが前記第１の接続点と前記第２の接続点とを相互に直接接続した場合に、前記第１の接続点の電圧レベルを、前記第１の接続点に接続可能である他の岐路により供給される電圧レベルとは異なる特定の電圧レベルに変化させることを特徴とする請求項１４又は１５記載の付属品。
【請求項１７】
携帯電子装置の電気インタフェースに接続するための付属品であって、該電気インタフェースは、付属品に提供可能な信号供給素子をバイアスする第１の接続点及び第２の接続点を含む１対のバイアス電圧供給接続点を具備しており、前記付属品は、
第１の組の岐路の中の少なくとも１つの電気的な第１の岐路を具備し、前記第１の岐路は、
分圧する手段と、
機械的に作動可能であり、前記第１の岐路を前記１対のバイアス電圧供給接続点のうち一方の接続点に切替える手段とを具備し、
前記第１の岐路は、前記１対のバイアス電圧供給接続点のうち前記一方の接続点に接続される第１の端部と、前記電気インタフェースの別の接続点に接続される第２の端部とを有し、前記第１のスイッチが前記第１の分圧素子と前記第１の端部に接続された接続点とを相互に接続した場合に、前記第１の端部に接続された接続点の電圧レベルを、特定の電圧レベルに変化させることを特徴とする付属品。
【請求項１８】
携帯電子装置の電気インタフェースに接続される付属品において、スイッチが作動されたか否かを判定する方法であって、該電気インタフェースは、第１の接続点及び第２の接続点を含む１対のバイアス電圧供給接続点を具備しており、前記付属品は、前記第１の接続点と前記第２の接続点との間に接続され且つ前記第１の接続点及び前記第２の接続点によりバイアスされる信号供給素子と、前記信号供給素子と並列に設けられた１組の岐路の中にあり且つ第１の分圧素子及び機械的に作動可能な第１のスイッチを含む少なくとも１つの電気的な第１の岐路とを具備しており、前記方法は、
前記第１の接続点と前記第２の接続点との間の電圧レベル変化を検出するステップと、
前記電圧レベル変化と関連する雑音レベルを判定するステップと、
前記雑音レベルを前記信号供給素子の使用と関連する雑音レベルと比較するステップと、
前記比較に基づいて前記スイッチの作動が実行されたか否かを判定するステップと
を備えることを特徴とする方法。
【請求項１９】
信号供給素子と、該信号供給素子と並列に設けられた１組の岐路の中にあり、且つ第１の分圧素子及び機械的に作動可能な第１のスイッチを含む少なくとも１つの電気的な第１の岐路とを有する付属品に接続される携帯電子装置であって、
前記岐路の２つの端部及び前記信号供給素子に接続される第１の接続点及び第２の接続点を含み、前記第１の接続点及び前記第２の接続点を介して前記信号供給素子をバイアスし且つ信号及びスイッチ作動の指示を受信する１対のバイアス電圧供給接続点を有する電気インタフェースと、
前記第１の接続点と前記第２の接続点との間の電圧レベル変化を検出し、
前記電圧レベル変化と関連する雑音レベルを判定し、
前記雑音レベルを前記信号供給素子の使用と関連する雑音レベルと比較し、
前記比較に基づいて前記スイッチの作動が実行されたか否かを判定するように構成された制御ユニットと
を具備することを特徴とする携帯電子装置。
【請求項２０】
携帯電子装置の電気インタフェースに接続される付属品において、スイッチが作動されたか否かを判定するためのコンピュータプログラム製品であって、該電気インタフェースは、第１の接続点及び第２の接続点を含む１対のバイアス電圧供給接続点を具備しており、前記付属品は、前記第１の接続点と前記第２の接続点との間に接続され且つ前記第１の接続点及び前記第２の接続点によりバイアスされる信号供給素子と、前記信号供給素子と並列に設けられた１組の岐路の中にあり、第１の分圧素子及び機械的に作動可能な第１のスイッチを含む少なくとも１つの電気的な第１の岐路とを具備しており、コンピュータプログラムコードが前記携帯電子装置に提供された場合、
前記第１の接続点と前記第２の接続点との間の電圧レベル変化を検出するステップと、
前記電圧レベル変化と関連する雑音レベルを判定するステップと、
前記雑音レベルを前記信号供給素子の使用と関連する雑音レベルと比較するステップと、
前記比較に基づいて前記スイッチの作動が実行されたか否かを判定するステップと
を前記携帯電子装置に実行させるコンピュータプログラムコードを含むことを特徴とするコンピュータプログラム製品。
【発明の詳細な説明】
【技術分野】
【０００１】
本発明は、携帯電子装置の付属品の分野に関する。本発明は、特に、付属品に電力を供給するための第１の接続点を具備する携帯電子装置の電気インタフェースに接続するための付属品に関する。
【背景技術】
【０００２】
携帯電子装置の分野、特に携帯電話などの携帯通信装置の分野においては、携帯ハンズフリー装置やデスクスタンドのような付属品が提供されることが知られている。携帯ハンズフリー装置は電話のシステムコネクタに接続され、通常、マイクロホン及び１つ又は２つのイヤホンを具備する。携帯ハンズフリー装置により、電話のユーザは電話を持たずに会話することができる。電話のシステムコネクタに接続されるデスクスタンドにこれらの特徴が配されていてもよいが、デスクスタンドは、これらの特徴をもたずに提供され、通常は電話のバッテリを充電するために使用される。
【０００３】
今日、基本の電話機能のほかに、例えば、カメラ、ビデオ再生機能及び音楽再生機能などを含む電話の多機能化が進められている。そのため、携帯電子装置において提供されるそのような機能に対する制御信号、例えば、任意のコンテンツの再生停止／開始制御信号、再生リストのスクロールアップ又はスクロールダウン制御信号、音量の増減制御信号、写真撮影制御信号などの制御信号を付属品から供給できるようにすることは有益である。
【０００４】
携帯ハンズフリー装置に音声駆動ダイヤリングボタンを装備することは周知である。このボタンは、マイクロホンに給電するため及びマイクロホン信号を受信するために携帯ハンズフリー装置のマイクロホンに接続される電話のシステムコネクタの２つの接続点の間に接続される。このボタンが押下されると、接続は短絡され、それによってマイクロホンがバイパスされると共に、システムコネクタの供給電圧が一定の電圧まで低下する。これにより、音声駆動ダイヤリングを開始する必要があること又は着信に応答する必要があることが報知される。
【０００５】
一方で、装置を可能な限り小型化し且つ製造コストを可能な限り安価に抑えることを必要とされる場合も多い。従って、付属品に設けられる複雑で高価な電子部品の使用数が多くなると、製品の価値は低下してしまう。更に、携帯ハンズフリー装置に配置された動的機器の数が多すぎると、携帯電子装置のバッテリの寿命は相対的に短くなる。
【０００６】
従って、少ない部品数で実現可能な、低価格、経済的、低電消費の装置であり、しかも携帯電子装置の種々の機能の追加制御を実行できる付属品を提供する必要がある。
【発明の開示】
【発明が解決しようとする課題】
【０００７】
本発明は、携帯電子装置の種々の機能に対して使用可能な追加の制御信号を供給できる付属品を提供するという問題を解決する。
【課題を解決するための手段】
【０００８】
一般に、この問題は、第１の分圧素子と、機械的に作動可能な第１のスイッチとを具備する少なくとも１つの電気的な岐路を有し、第１のスイッチが第１の分圧素子と電気インタフェースの第１の接続点とを相互に接続した場合に第１の接続点に特定の電圧レベルを供給するために、第１の岐路が第１の接続点と接地点との間に接続可能である付属品を提供することにより解決される。
【０００９】
従って、本発明の１つの目的は、携帯電子装置の種々の機能に対して使用できる追加の制御信号を供給できる付属品を提供することにある。
【００１０】
本発明の第１の面によれば、この目的を達成するための付属品は、携帯電子装置の電気インタフェースに接続するための付属品であって、該電気インタフェースは、付属品に提供可能な信号供給素子をバイアスする第１の接続点及び第２の接続点を含む１対のバイアス電圧供給接続点を具備しており、
第１の組の岐路の中の少なくとも１つの電気的な第１の岐路を具備し、該第１の岐路は、
第１の分圧素子と、
機械的に作動可能な第１のスイッチとを含み、
前記第１の岐路は、１対のバイアス電圧供給接続点のうち一方の接続点に接続される第１の端部と、電気インタフェースの別の接続点に接続される第２の端部とを有し、第１のスイッチが第１の分圧素子と第１の端部に接続された接続点とを相互に接続した場合に、第１の端部に接続された接続点の電圧レベルを特定の電圧レベルに変化させる。
【００１１】
本発明の第２の面は第１の面の特徴を含み、第１の組の岐路の中の第２の岐路を更に具備し、該第２の岐路は、第２の分圧素子と、機械的に作動可能な第２のスイッチとを具備し、該第２の岐路は、前記第１の岐路と同一の接続点に接続される第１の端部及び第２の端部を有し、前記第２の分圧素子は、第２のスイッチが第２の分圧素子と第１の端部に接続された接続点とを相互に接続した場合に、第１の端部に接続された接続点の電圧レベルを、第１の接続点に接続可能である他の岐路により供給される電圧レベルとは異なる特定の電圧レベルに変化させる。
【００１２】
本発明の第３の面は第１の面の特徴を含み、第１の組の岐路の中の第３の岐路を更に具備し、前記第３の岐路は、機械的に作動可能な第３のスイッチのみを具備し、且つ前記第１の岐路と同一の接続点に接続される第１の端部及び第２の端部を有し、前記第３の岐路は、第３のスイッチが２つの接続点を相互に接続した場合に、第１の端部に接続された接続点の電圧レベルを、第１の接続点に接続可能である他の岐路により供給される電圧レベルとは異なる特定の電圧レベルに変化させる。
【００１３】
本発明の第４の面は第１の面の特徴を含み、他方の接続点は、一定の基準電圧レベルを供給する接続点である。
【００１４】
本発明の第５の面は第４の面の特徴を含み、他方の接続点は、接地電位を供給する第３の接続点であり、１対のバイアス電圧供給接続点のうち一方の接続点は第１の接続点であり、第１の接続点は携帯電子装置の電圧源に内部接続されている。
【００１５】
本発明の第６の面は第４の面の特徴を含み、他方の接続点は、供給電圧を供給する第３の接続点であり、１対のバイアス電圧供給接続点のうち一方の接続点は第２の接続点であり、第２の接続点は携帯電子装置の接地点に内部接続されている。
【００１６】
本発明の第７の面は第１の面の特徴を含み、他方の接続点は、１対のバイアス電圧供給接続点のうち他方の接続点である。
【００１７】
本発明の第８の面は第１の面の特徴を含み、信号供給素子を更に具備し、各岐路の各スイッチは２つの位置を有し、第１の位置は岐路を対のうち一方の接続点に接続し、第２の位置は信号発生素子の一端部を対のうち一方の接続点に接続し、信号供給素子の別の端部は対のうち他方の接続点に接続される。
【００１８】
本発明の第９の面は第８の面の特徴を含み、信号供給素子は調整可能な分圧素子である。
【００１９】
本発明の第１０の面は第８の面の特徴を含み、信号供給素子はマイクロホンである。
【００２０】
本発明の第１１の面は第１の面の特徴を含み、全ての分圧素子は受動素子である。
【００２１】
本発明の第１２の面は第５の面の特徴を含み、第２の組の岐路を更に具備し、第２の組の岐路は、
分圧素子及び機械的に作動可能なスイッチを具備する少なくとも１つの電気的な岐路を具備し、
岐路は、第２の接続点に接続される第１の端部と、基準電圧を供給する第４の接続点に接続される第２の端部とを有し、スイッチが分圧素子と第２の接続点とを相互に接続した場合に、第２の接続点の電圧レベルを特定の電圧レベルに変化させる。
【００２２】
本発明の第１３の面は第１２の面の特徴を含み、第２の組の岐路の中の別の岐路を具備し、別の岐路は別の分圧素子と、機械的に作動可能な別のスイッチとを有し、別の岐路は、第２の組の１つの岐路と同一の接続点に接続される第１の端部及び第２の端部を有し、別の分圧素子は、別のスイッチが別の分圧素子と第２の接続点とを相互に接続した場合に、第２の接続点の電圧レベルを、第２の接続点に接続可能である他の岐路により供給される電圧レベルとは異なる特定の電圧レベルに変化させる。
【００２３】
本発明の第１４の面は第１２の面の特徴を含み、第３の組の岐路を更に具備し、第３の組の岐路は、
分圧素子及び機械的に作動可能なスイッチを具備する少なくとも１つの電気的な岐路を具備し、
岐路は、第１の接続点に接続される第１の端部と、第２の接続点に接続される第２の端部とを有し、スイッチが分圧素子と第１の接続点とを相互に接続した場合に、第１の接続点の電圧レベルを、第１の接続点に接続可能である他の岐路により供給される電圧レベルとは異なる特定の電圧レベルに変化させる。
【００２４】
本発明の第１５の面は第１４の面の特徴を含み、第３の組の岐路の中の別の岐路を具備し、別の岐路は別の分圧素子と、機械的に作動可能な別のスイッチとを有し、別の岐路は、第３の組の１つの岐路と同一の接続点に接続される第１の端部及び第２の端部を有し、別の分圧素子は、別のスイッチが別の分圧素子と第１の接続点とを相互に接続した場合に、第１の接続点の電圧レベルを、第１の接続点に接続可能である他の岐路により供給される電圧レベルとは異なる特定の電圧レベルに変化させる。
【００２５】
本発明の第１６の面は第１４の面の特徴を含み、第３の組の岐路の中の別の岐路を具備し、別の岐路は、機械的に作動可能な別のスイッチのみを具備し且つ第３の組の１つの岐路と同一の接続点に接続される第１の端部及び第２の端部を有し、別の岐路は、別のスイッチが第１の接続点と第２の接続点とを相互に直接接続した場合に、第１の接続点の電圧レベルを、第１の接続点に接続可能である他の岐路により供給される電圧レベルとは異なる特定の電圧レベルに変化させる。
【００２６】
本発明の第１７の面は、携帯電子装置の電気インタフェースに接続するための付属品に関し、該電気インタフェースは、付属品に提供可能な信号供給素子をバイアスする第１の接続点及び第２の接続点を含む１対のバイアス電圧供給接続点を具備しており、前記付属品は、
第１の組の岐路の中の少なくとも１つの電気的な第１の岐路を具備し、第１の岐路は、
分圧する手段と、
機械的に作動されることが可能であり、前記第１の岐路を１対のバイアス電圧供給接続点のうち一方の接続点に切替える手段とを具備し、
前記第１の岐路は、１対のバイアス電圧供給接続点のうち一方の接続点に接続される第１の端部と、電気インタフェースの別の接続点に接続される第２の端部とを有し、第１のスイッチが第１の分圧素子と第１の端部に接続された接続点とを相互に接続した場合に、第１の端部に接続された接続点の電圧レベルを特定の電圧レベルに変化させる。
【００２７】
本発明の別の目的は、付属品に信号発生素子が設けられた場合、付属品からの追加の制御信号を検出する方法を提供することにある。
【００２８】
本発明の第１８の面によれば、この目的を達成するための方法は、携帯電子装置の電気インタフェースに接続される付属品において、スイッチが作動されたか否かを判定する方法であって、該電気インタフェースは、第１の接続点及び第２の接続点を含む１対のバイアス電圧供給接続点を具備しており、前記付属品は、前記第１の接続点と前記第２の接続点との間に接続され且つ前記第１の接続点及び前記第２の接続点によりバイアスされる信号供給素子と、前記信号供給素子と並列に設けられた１組の岐路の中にあり且つ第１の分圧素子及び機械的に作動可能な第１のスイッチを含む少なくとも１つの電気的な第１の岐路とを具備しており、前記方法は、
第１の接続点と第２の接続点との間の電圧レベル変化を検出するステップと、
電圧レベル変化と関連する雑音レベルを判定するステップと、
雑音レベルを信号供給素子の使用と関連する雑音レベルと比較するステップと、
比較に基づいてスイッチの作動が実行されたか否かを判定するステップとを備える。
【００２９】
本発明の別の目的は、付属品に信号発生素子が設けられた場合、付属品からの追加の制御信号を検出する携帯電子装置を提供することにある。
【００３０】
本発明の第１９の面によれば、この目的を達成するための携帯電子装置は、信号供給素子と、信号供給素子と並列に設けられた１組の岐路の中にあり且つ第１の分圧素子及び機械的に作動可能な第１のスイッチを含む少なくとも１つの電気的な岐路とを有する付属品に接続される携帯電子装置であって、
岐路の２つの端部及び信号供給素子に接続される第１の接続点及び第２の接続点を含み、第１の接続点及び第２の接続点を介して信号供給素子をバイアスし、且つ信号及びスイッチ作動の指示を受信する１対のバイアス電圧供給接続点を有する電気インタフェースと、
第１の接続点と第２の接続点との間の電圧レベル変化を検出し、
電圧レベル変化と関連する雑音レベルを判定し、
雑音レベルを信号供給素子の使用と関連する雑音レベルと比較し、
比較に基づいてスイッチの作動が実行されたか否かを判定するように構成された制御ユニットとを具備する。
【００３１】
本発明の別の目的は、付属品に信号発生素子が設けられた場合、付属品からの追加の制御信号を検出するコンピュータプログラム製品を提供することにある。
【００３２】
本発明の第２０の面によれば、この目的を達成するためのコンピュータプログラム製品は、携帯電子装置の電気インタフェースに接続される付属品において、スイッチが作動されたか否かを判定するためのコンピュータプログラム製品であって、該電気インタフェースは、第１の接続点及び第２の接続点を含む１対のバイアス電圧供給接続点を具備しており、前記付属品は、前記第１の接続点と前記第２の接続点との間に接続され且つ前記第１の接続点及び前記第２の接続点によりバイアスされる信号供給素子と、前記信号供給素子と並列に設けられた１組の岐路の中にあり、第１の分圧素子及び機械的に作動可能な第１のスイッチを含む少なくとも１つの電気的な第１の岐路とを具備しており、コンピュータプログラムコードが前記携帯電子装置に提供された場合、
第１の接続点と第２の接続点との間の電圧レベル変化を検出するステップと、
電圧レベル変化と関連する雑音レベルを判定するステップと、
雑音レベルを信号供給素子の使用と関連する雑音レベルと比較するステップと、
比較に基づいてスイッチの作動が実行された否かを判定するステップとを携帯電子装置に実行させるコンピュータプログラムコードを含む。
【００３３】
本発明は多くの利点を有する。本発明はマイクロプロセッサを必要としない。従って、構成が単純であるので、付属品は製造が容易で低価格な装置になる。本発明は、その機能を実現するために独自の電源を必要とせず、携帯電子装置により供給される電力を使用する。更に、必要とされる電力は非常に低い。付属品は、携帯電子装置の電気インタフェースにおいて追加の接続点を必要としない。多くの場合、電気インタフェースの接続点は規格化されており、変更は不可能であるので、この利点は好都合である。
【００３４】
本明細書中で使用される場合の用語「具備する」は、そこに挙げられている特徴、数字、ステップ又は構成要素の存在を指定するために使用されるが、１つ以上の他の特徴、数字、ステップ、構成要素又はそれらの集合の存在又は追加を除外しないことを強調しておくべきである。
【発明を実施するための最良の形態】
【００３５】
本発明は、例えば携帯電話のような携帯通信装置などの携帯電子装置の付属品に関する。そのような電話１０は図１の正面図に概略的に示される。電話１０は、液晶ディスプレイ等のディスプレイ１４と、複数のキーを含むキーパッド１２と、付属品を接続するためのシステムコネクタ１６の形態をとる電気インタフェースとを含む。通常、電話はアンテナを更に含む。しかし、今日、アンテナは電話１０の内部に設けられるのが普通である。携帯電話は携帯電子装置の単なる一例である。携帯電子装置はラップトップコンピュータ、パームトップコンピュータ、電子オーガナイザ、スマートフォン、コミュニケータ又はゲーム機などの装置であってもよい。
【００３６】
図２は、本発明の第１の実施形態に係る付属品を概略的に示した図である。ここでは、付属品は携帯ハンズフリー装置１８である。ハンズフリー装置１８は、電話のシステムコネクタに差し込むためのプラグ３０と、マイクロホン２２及び複数のボタン３２、３４、３６、３８及び４０を含む本体２０に接続されたコード２８とを含み、各ボタンは機械スイッチに接続される。本体２０は別のコードを介して１対のイヤホン２４及び２６に更に接続される。マイクロホン２２は、イヤホン２４及び２６と同様に、システムコネクタの２つの接続点に接続される。本発明は、一般にボタン及びマイクロホンを装備するものであり、詳細は以下に説明する。
【００３７】
図３は、システムコネクタ１６に接続されたハンズフリー装置１８の種々の素子を概略的に示した図である。システムコネクタ１６は複数の接続点を含み、第１の接続点４２及び第２の接続点４４から構成される１対のバイアス電圧供給接続点は、マイクロホン２２をバイアスする電圧を供給する。このように、第１の接続点４２及び第２の接続点４４はマイクロホンから電圧信号を受信する。この電圧信号は、電話に関する通話において使用可能であると同時に、マイクロホン２２をバイアスするバイアス電圧を供給する。更に、接地電位ＧＮＤを供給する第３の接続点４６と、供給電位ＤＣＩＯを供給する第４の接続点４８とが設けられている。電話１０の内部には、第１の電話抵抗器Ｒ６を介して第１の接続点４２に接続された電圧源Ｖｂがあり、第２の接続点４４は第２の電話抵抗器Ｒ５を介して接地点に接続される。第１の電話抵抗器Ｒ６と第１の接続点４２との間には、信号Ｖｓｘが検出される測定点に接続された第３の電話抵抗器Ｒ４が設けられている。この信号については、後で説明する。通常、第１の電話抵抗器Ｒ６及び第２の電話抵抗器Ｒ５は同一の値が与えられる。すなわち、それらの抵抗器は同一の大きさ及び抵抗を有するが、第３の電話抵抗器Ｒ４はそれらの抵抗器よりはるかに大きい。図からわかるように、更に別の複数の接続点が存在し、それらのうち２つの接続点は図２の２つのイヤホンにスピーカ信号を供給するために使用することができる。
【００３８】
図２の各ボタンは対応するスイッチ３２、３４、３６、３８及び４０を作動し、各スイッチは該当するボタンと同一の図中符号を付してある。従って、各スイッチは携帯ハンズフリー装置１８のユーザにより機械的に作動可能である。携帯ハンズフリー装置１８は、第１の組の岐路に設けられた複数の電気的な岐路を更に含む。第１の岐路は、第１の接続点４２に接続される第１の端部と、第３の接続点４６に接続される第２の端部とを有し、第１のスイッチ３２と、ここでは第１の抵抗器Ｒ１である第１の受動分圧素子とを含む。第２の岐路は、第１の接続点４２に接続される第１の端部と、第３の接続点４６に接続される第２の端部とを有し、第２のスイッチ３４と、ここでは第２の抵抗器Ｒ２である第２の受動分圧素子とを含む。第３の岐路は、第１の接続点４２に接続される第１の端部と、第３の接続点４６に接続される第２の端部とを有し、第３のスイッチ３８のみを含む。更に第４の岐路があり、第４の岐路は第１の接続点４２に接続される第１の端部と、第３の接続点４６に接続される第２の端部とを有し、第４のスイッチ３６と、ここでは第３の抵抗器Ｒ３である第３の受動分圧素子とを含む。第１の抵抗器Ｒ１、第２の抵抗器Ｒ２及び第３の抵抗器Ｒ３は全て異なる大きさ又は異なる抵抗値を有する。各スイッチ３２、３４、３６及び３８は２つの位置を有する。第１の位置では対応する岐路を第１の接続点４２に接続し、第２の位置ではマイクロホン２２の第１の端部を第１の接続点４２に接続する。最後に、ＶＡＤ（音声駆動ダイヤリング）スイッチ４０が設けられており、このスイッチは、装置１８が電話に接続された場合に第１の接続点４２と第２の接続点４４とを選択的に短絡する。
【００３９】
通常の動作において付属品１８がシステムコネクタ１６に接続された場合、全てのスイッチ３２〜３８はマイクロホン２２を第１の接続点４２に接続する。それにより、携帯ハンズフリー装置のユーザはマイクロホン２２に話しかけてもよく、第１の接続点４２及び第２の接続点４４を介して音声信号を電話へ送信できる。この場合、ユーザはＶＡＤボタン４０を更に押下してもよく、これが実行された場合、第１の電話抵抗器Ｒ６及び第２の電話抵抗器Ｒ５が同じ大きさであるため、電話から供給される供給電圧は半減される。この電圧レベルは、音声駆動ダイヤリングが実行されることを電話１０に報知するために使用される。その後、ダイヤルする電話番号を選択する場合、マイクロホン２２を介してユーザにより入力される音声が電話により使用される。
【００４０】
先に述べた通り、電話１０は、携帯ハンズフリー装置１８から制御するのが好都合であろうと思われる多数の異なる機能を有する。抵抗器Ｒ１、Ｒ２及びＲ３の大きさがそれぞれ異なっており、且つ１つの岐路には抵抗器が配されていないので、それぞれの岐路は第１の接続点４２にそれぞれ異なる別個の電圧レベルを供給することができる。それらの異なる別個の電圧レベルは、１つ以上の機能を制御するために、電話の内部において第３の電話抵抗器Ｒ４により供給される出力Ｖｓｘで全て測定できる。その後、第１の電話抵抗器Ｒ６と接続された岐路の分圧素子との組み合わせにより実行される分圧に従って、異なる電圧レベルが供給される。
【００４１】
限定的な意味を持たない一例として、例えば再生リストの任意の音楽ファイルを再生するなど、任意のコンテンツを電話で再生する場合にボタンの使用が適用される。その場合、第１のスイッチ３２は２つの機能を有する。第１のスイッチ３２が第１の岐路を第１の接続点４２に接続した場合、供給される電圧レベルＶｓｘは音量減少を制御するため又は任意のコンテンツに対して巻き戻し／バックステッピング動作を指示するためのいずれかに使用される。同様に、第２のスイッチ３４は２つの機能を有する。第２のスイッチ３４が第１の岐路を第１の接続点４２に接続した場合、供給される電圧レベルＶｓｘは任意のコンテンツを再生するため又は再生を一時停止するためのいずれかに使用される。第４のスイッチ３６も同様に２つの機能を有する。第４のスイッチ３６が第１の岐路を第１の接続点４２に接続した場合、供給される電圧レベルは音量増加を制御するため又はコンテンツの早送りステッピング動作を指示するためのいずれかに使用される。第３の岐路の第３のスイッチ３８は、ここでは、他のスイッチ３２、３４、３６の設定指示として使用される。すなわち、第３のスイッチ３８が第１の接続点４２を接地し、それによりＶｓｘが０になると、第３のスイッチ３８は他の岐路の他のスイッチの設定を一方の機能から他方の機能に変更する。要するに、異なる岐路は、１つ以上の機能を制御するために電話により使用される異なる別個の電圧レベルを供給する。
【００４２】
言うまでもなく、音楽及び／又は映像に関わらず、信号はコンテンツの再生に限定されない。信号は、例えば、ＴＶのチャンネル又はラジオの周波数などのチャンネルを選択するために使用されるか、カメラを制御するために使用されるか、あるいは電話の任意の機能を制御するために使用されるようにすることも可能である。
【００４３】
第３のスイッチは設定スイッチである必要はなく、１つの機能と直接連係することができ、その場合、各スイッチは言うまでもなく１つの機能とのみ関連付けられるということが理解されるべきである。
【００４４】
前述のように、本発明は携帯ハンズフリー装置に限定されず、例えば、デスクスタンドなどの他の付属品にも適用可能である。図４は、電話が配置される凹部５２を含むデスクスタンド５０として提供された本発明の第２の実施形態を概略的に示した図である。凹部の底部には、電話のシステムコネクタに接続するためのインタフェースが設けられている（不図示）。デスクスタンドは、図２において同一の図中符号が付されたボタンに対応するボタン３２、３４、３６及び３８と円形のつまみ５４とを更に含む。
【００４５】
図５は、システムコネクタ１６に接続されたデスクスタンド５０の種々の素子を概略的に示した図である。図５において、図３に示される素子に類似する素子には同一の図中符号を付している。本実施形態においては、図３に関連して説明したように、スイッチ３２、３４、３８及び３６と抵抗器Ｒ１、Ｒ２及びＲ３とを有する第１の岐路、第２の岐路、第３の岐路及び第４の岐路が存在する。図３と図５との相違点は、図５にはＶＡＤスイッチ及びマイクロホンがないことである。マイクロホンの代わりに、抵抗器５４の形態をとる信号発生素子が設けられ、抵抗器５４の抵抗はデスクスタンド５０のユーザにより変更されてもよい。従って、抵抗器５４は調整可能な分圧素子である。抵抗器５４と同一の図中符号が付されたつまみが回された場合に抵抗器５４は起動される。抵抗器５４は電位差計であってもよい。動作中、第１〜第４のスイッチ３２〜３８は、第１の実施形態の場合と同様に動作及び使用される。なお、可変抵抗を有する抵抗器５４は、第１の接続点４２に直線的に変化する電圧レベルを供給するためにユーザにより動作されてもよい。この電圧レベルは、電話により出力される音声の音量を直線的に変化させるための電圧制御信号として使用されてもよい。抵抗器５４により供給される電圧は、第１〜第４の岐路により供給される範囲とは異なる範囲になければならない。この特徴により音量を徐々に調整することができるようになるが、これはステッピング機能の代わりに多くのユーザにより望まれている機能である。
【００４６】
抵抗器５４を起動するためにユーザはつまみを使用する必要はなく、例えば、スライダが使用されてもよいことは言うまでもない。更に、音声調整の利用は単なる一例である。例えば、音声に関する低音調整、高音調整及びバランス調整並びに画像に関するコントラスト又は色調整、又は直線的な変化を与えることが望まれる電話の他の任意の調整のような他の多くの調整に使用できる。更に、スイッチ３２、３４、３６及び３８のうち１つを設定スイッチとして使用すること、例えば、調整する特性を選択する第３のスイッチとして使用することも可能である。
【００４７】
設定ボタンを設けることが望ましくないか又は１つの付属品から更に多くの種々の制御を実行する必要があるかといった理由により、更に別のボタンを設けることが望ましい場合も考えられる。
【００４８】
本発明の変形例によれば、これは第１の組の岐路に加えて第２の組の岐路を設けることにより実現されてもよい。図６は、携帯ハンズフリー装置に対するそのような方法を概略的に示す。この方法がデスクスタンドに対して更に提供されてもよいことは言うまでもない。
【００４９】
図６においては、図３の場合と全く同様に、第１の組の岐路は、第１の接続点４２に接続可能なスイッチ３２、３４、３６及び３８と抵抗器Ｒ１、Ｒ２及びＲ３とを具備する。しかし、第２の接続点４４と第４の接続点４８との間に接続可能な第２の組の岐路が存在する。
【００５０】
第２の組の岐路において、第１の岐路は、第２の接続点４４に接続される第１の端部と、第４の接続点４８に接続される第２の端部とを有し、スイッチ５６と、ここでは抵抗器Ｒ７である受動分圧素子とを含む。第２の岐路は、第２の接続点４４に接続される第１の端部と、第４の接続点４８に接続される第２の端部とを有し、スイッチ５８と、ここでは抵抗器Ｒ８である受動分圧素子とを含む。第３の岐路は、第２の接続点４４に接続される第１の端部と、第４の接続点４８に接続される第２の端部とを有し、スイッチ６０と、ここでは抵抗器Ｒ９である受動分圧素子とを含む。更に、第２の接続点４４に接続される第１の端部と、第４の接続点４８に接続される第２の端部とを有し、スイッチ６２と、ここでは抵抗器Ｒ１０である受動分圧素子とを含む第４の岐路がある。これらの抵抗器Ｒ７、Ｒ８、Ｒ９及びＲ１０は全て異なる大きさ又は異なる抵抗値を有する。各スイッチ５６、５８、６０及び６２は２つの位置を有する。第１の位置では対応する岐路を第２の接続点４４に接続し、第２の位置ではマイクロホン２２の第２の端部を第２の接続点４４に接続する。
【００５１】
図６においては、第４の接続点４８及び接続されている岐路により供給される抵抗により供給される供給電圧ＤＣＩＯを分割することによって第２の接続点で得られる第２の電圧信号Ｖｓｙを供給するために、第２の電話抵抗器Ｒ５と第２の接続点４４との間に接続された第４の電話抵抗器Ｒ１１が更に設けられる。第４の電話抵抗器Ｒ１１は第２の電話抵抗器Ｒ５よりはるかに大きい。ハンズフリー装置は、マトリクス又は行列として配列された複数の異なる押下ゾーンを有するキーパッド６４を更に具備する。ここでは、第１の組の岐路のスイッチは一列に配列され、第２の組の岐路のスイッチは一行に配列される。キーパッド６４の１つのゾーンを押下することにより、第１の組の岐路のスイッチのうち１つが第１の接続点の電圧をＶｂからその岐路により規定されるより低い電圧まで低下させ、第２の組の岐路のスイッチのうち１つは第２の接続点に抵抗を接続する。これにより、第２の接続点は、第４の接続点により供給される電圧を分割することにより決定される電圧を受け取る。従って、この場合、１つのキーを押下することにより、２つのスイッチが切替えられる。この方法により、１６種類のキー入力の組み合わせが提供され、それらの組み合わせは電圧Ｖｓｘ及びＶｓｙに基づいて電話において検出される。
【００５２】
更に多くの入力が必要とされる場合には、第３の組の岐路を設けることが可能である。図７は、携帯ハンズフリー装置の場合の本発明のそのような変形例を概略的に示す。先の場合と同様に、この方法がデスクスタンドに提供されてもよいことが理解されるべきである。
【００５３】
図７においては、図６の場合と全く同様に、第１の接続点４２に接続可能なスイッチ３２、３４、３６及び３８並びに抵抗器Ｒ１、Ｒ２及びＲ３を具備する第１の組の岐路と、第２の接続点４４に接続可能なスイッチ５６、５８、６０及び６２並びに抵抗器Ｒ７、Ｒ８、Ｒ９及びＲ１０を具備する第２の組の岐路とが設けられる。しかし、本実施形態においては、第１の接続点４２と第２の接続点４４との間に接続可能な第３の組の岐路が更に存在する。
【００５４】
第３の組の岐路において、第１の岐路は第１の接続点４２に接続される第１の端部と、第２の接続点４４に接続される第２の端部とを有し、スイッチ６４のみを含む。第２の岐路は第１の接続点４２に接続される第１の端部と、第２の接続点４４に接続される第２の端部とを有し、スイッチ６６と、ここでは抵抗器Ｒ１２である受動分圧素子とを含む。第３の岐路は第１の接続点４２に接続される第１の端部と、第２の接続点４４に接続される第２の端部とを有し、スイッチ６８と、ここでは抵抗器Ｒ１３である受動分圧素子とを含む。更に、第１の接続点４２に接続される第１の端部と、第２の接続点４４に接続される第２の端部とを有し、スイッチ７０と、ここでは抵抗器Ｒ１４である受動分圧素子とを含む第４の岐路が存在する。これらの抵抗器Ｒ１２、Ｒ１３及びＲ１４は全て異なる大きさ又は異なる抵抗値を有する。各スイッチ６４、６６、６８及び７０は２つの位置を有する。第１の位置は対応する岐路を第２の接続点４４に接続し、第２の位置はマイクロホン２２の第２の端部を第２の接続点４４に接続する。
【００５５】
本実施形態においては、第１の組の岐路及び第２の組の岐路の第１の接続点及び第２の接続点への接続は、先に説明した方法と同一の方法で実行される。第３の組の岐路の１つのスイッチを作動することにより、第１の接続点の電圧は変更される。すなわち、電圧は、Ｖｂから該当する岐路並びに第１の電話抵抗器Ｒ６及び第２の電話抵抗器Ｒ５の抵抗により規定されるより低い電圧まで低下される。キー押下信号は、第３の電話抵抗器Ｒ４及び第４の電話抵抗器Ｒ１１を介して、電位値Ｖｓｘ及びＶｘｙに基づいて検出される。
【００５６】
この変形例においては、第１の岐路及び第２の岐路において実行される切替えは同時に検出可能であるが、第３の岐路において実行される切替えをその他の組の岐路における切替えの検出と組み合わせることはできない。この場合、マトリクスによる方法が使用される場合は２０種類の異なるキー入力が可能であり又は各スイッチが１つのキーに対応する場合は１２種類の入力が可能であるように、４つの追加のキー入力を設けることが可能である。
【００５７】
マイクロホンの使用とキーの押下との識別を助長する目的で、検出信号の雑音レベルを検査するために電話内部のマイクロホン増幅器が使用されてもよい。マイクロホンが使用される場合の雑音レベルは、キーが押下された場合と比較してはるかに高い。
【００５８】
図８は、図７の実施形態に従ってスイッチの作動を検出するために使用される電話の関連部品を概略的に示したブロック図である。電話は、信号ＧＮＤ及びＤＣＩＯを受信する制御ユニット７２を含む。制御ユニット７２は、データバス７３を介してマイクロホン増幅器７４に更に接続される。制御ユニット７２は、バス７３を介してデジタルの形式の雑音信号並びに信号Ｖｓｘ及びＶｓｙを受信する。制御ユニット７２は基準値記憶装置７６に更に接続される。制御ユニット７２は、Ｖｓｘ及びＧＮＤにより規定される電圧を基準電圧レベルと比較することにより、第１の組の岐路内のスイッチが作動されたことを識別し、ＤＣＩＯ及びＶｓｙにより規定される電圧を基準電圧レベルと比較することにより、第２の組の岐路内のスイッチが作動されたことを識別し、Ｖｓｘ及びＶｓｙにより規定される電圧を基準電圧レベルと比較することにより、第３の岐路内のスイッチが作動されたことを識別する。
【００５９】
しかし、第３の組の岐路内のスイッチが作動されたと判定した場合、マイクロホンの使用が誤ってスイッチの作動として判定される可能性がある。この状況を回避するために、制御ユニット７２は、図９のフローチャートに更に概要が示される以下の方法ステップを実行する。
【００６０】
スイッチ又はマイクロホンの使用前に、ステップ７８において、制御ユニット７２は、マイクロホン増幅器７４の入力端子における雑音基準値ＮＲＥＦ、すなわち、マイクロホンの使用と関連するＶｓｘとＶｓｙとの差分信号の雑音基準値を測定する。次に、ステップ８０において、この雑音基準値ＮＲＥＦを記憶装置７６に格納する。その後、ステップ８２において、制御ユニット７２はＶｓｘ及びＶｓｙでＤＣ基準電圧を測定する。次のステップ８４において、このＤＣ基準電圧ＤＣＲＥＦも基準値記憶装置７６に格納される。ステップ８４の実行後、制御ユニット７２は第３の組の岐路におけるスイッチの作動を検出できる状態になる。
【００６１】
ステップ８６において、制御ユニット７２は、データバス７３を介してマイクロホン増幅器７４により供給されるＶｓｘ及びＶｓｙを通過するＤＣ電圧ＶＤＣを測定し、ステップ８８において、測定されたＤＣ電圧ＶＤＣと基準電圧ＤＣＲＥＦとの差分ＤＩＦＦを判定することによって電圧レベル変化を検出する。次に、ステップ９０において、制御ユニット７２はこの差分ＤＩＦＦを閾値ＴＨと比較する。閾値ＴＨは、基準電圧ＤＣＲＥＦに最も近い電圧を供給している第３の組の岐路のうち１つの岐路におけるスイッチ作動に対応する電圧レベル変化に従って設定される。ステップ９０において閾値ＴＨを超えない場合、制御ユニット７２はステップ８６に戻り、データバス７３を介してマイクロホン増幅器７４により供給されるＶｓｘ及びＶｓｙを通過するＤＣ電圧ＶＤＣを再度測定する。この再測定は、５００ｍｓなどの所定の期間後に実行されてもよい。これに対し、ステップ９０において閾値ＴＨを超えた場合には、ステップ９２において、マイクロホン増幅器７４の入力端子の雑音Ｎを判定することによって、電圧変化と関連する雑音レベルが判定される。次に、ステップ９４において、雑音Ｎは雑音基準値ＮＲＥＦと比較される。この比較に基づいて、スイッチが作動されたか否かの判定が実行される。雑音値Ｎが非常に小さい場合、ステップ９８においてスイッチは作動されたと判定されると、当該スイッチ作動は、電話の動作を実行するために制御ユニット７２により処理される。これに対し、ステップ９４において雑音値Ｎがさほど小さくない場合には、スイッチが作動されたのではなく、マイクロホンが使用されたと判定される。この場合、ステップ９６においてマイクロホン信号が現れる。マイクロホン信号はマイクロホン増幅器により処理され、制御ユニット７２は動作しない。その後、制御ユニット７２は、ステップ８６において、適切な時間間隔の後に、データバス７３を介してマイクロホン増幅器７４により供給されるＶｓｘ及びＶｓｙを通過するＤＣ電圧ＶＤＣを再度測定する。このように、付属品が接続されている限り、制御ユニットは電圧レベルを継続的に監視する。
【００６２】
制御ユニットは、上記の方法ステップを実行するための対応するプログラムコードを伴うマイクロプロセッサの形態で提供されるのが好ましい。基準値記憶装置は、ＲＯＭメモリ又はＲＡＭメモリなどの適切な種類のメモリであるのが好ましい。更に、プログラムは、電話にロードされた場合に方法を実行するメモリスティックのようなデータキャリアにより提供可能である。
【００６３】
本発明は多くの利点を有する。本発明は、付属品中にマイクロプロセッサを必要としない。従って、構成が単純であるので、付属品は製造が容易で低価格な装置になる。本発明は、その機能を実現するために独自の電源を必要とせず、携帯電子装置により供給される電力を使用する。更に、必要とされる電力は非常に低い。付属品は、携帯電子装置の電気インタフェースにおいて追加の接続点を必要としない。多くの場合、電気インタフェースの接続点は規格化されており、変更することは困難であるので、この利点は好都合である。電話において必要とされるのは、電圧レベルを検出し且つそれらを種々の機能選択に振り分けるソフトウェアの実現のみである。
【００６４】
既に述べた態様以外の多くの態様で本発明を変形できる。岐路における受動分圧素子は必ずしも抵抗器でなくてもよい。ダイオードを使用することも可能である。更に、各組の岐路の数は上記の数より多くても、又は少なくてもよく、例えば、岐路は１つのみであってもよい。また、岐路のスイッチは、１つのスイッチの作動がその他の岐路のスイッチの作動を無効にし、同一の組の岐路に対してのみ機能するように接続されてもよい。第２の実施形態に係る方法が第１の実施形態において提供されてもよく、第１の実施形態に係る方法が第２の実施形態において提供されてもよい。尚、信号発生素子は付属品に全く設けられなくてもよい。すなわち、マイクロホン又は可変抵抗は必ずしも存在しなくてもよい。この場合、岐路のスイッチは２つの位置を有する必要がなく、岐路をシステムコネクタの接続点に接続するか又は接続を遮断するのみである。更に、種々の岐路の組は任意に組み合わされてもよいことは言うまでもない。従って、付属品は第１の組の岐路のみ、第２の組の岐路のみ、第３の組の岐路のみ、第１の組及び第２の組の岐路のみ、第１の組及び第３の組の岐路のみ、第２の組及び第３の組の岐路のみ並びに図７と同様に３組の岐路の全てを含んでもよい。第３の組の岐路のみが使用される場合、ボタンの押下を検出するために必要なリード線の数は最小限に限定される。これにより、付属品は更に単純になり、製造コストは更に低減される。なお、本発明は添付の請求の範囲によってのみ限定されるべきである。
【図面の簡単な説明】
【００６５】
【図１】携帯電話を概略的に示す正面図である。
【図２】図１の電話に接続するためのハンズフリー装置の形態をとる本発明の第１の実施形態に係る付属品を概略的に示した図である。
【図３】図１の電話のシステムコネクタに接続された図２のハンズフリー装置の電気素子を概略的に示した図である。
【図４】図１の電話に接続するためのデスクスタンドの形態をとる本発明の第２の実施形態に係る付属品を概略的に示した図である。
【図５】図１の電話のシステムコネクタに接続された図４のデスクスタンドの電気素子を概略的に示した図である。
【図６】図１の電話のシステムコネクタに接続されたハンズフリー装置の変形例の電気素子を概略的に示した図である。
【図７】図１の電話のシステムコネクタに接続されたハンズフリー装置の別の変形例の電気素子を概略的に示した図である。
【図８】図１の電話においてスイッチ作動検出のために使用されるユニットを概略的に示したブロック図である。
【図９】図８のユニットにおいてスイッチ作動検出を実行する方法を示すフローチャートである。
【図１】
2009529815.tif 000003
【図２】
2009529815.tif 000004
【図３】
2009529815.tif 000005
【図４】
2009529815.tif 000006
【図５】
2009529815.tif 000007
【図６】
2009529815.tif 000008
【図７】
2009529815.tif 000009
【図８】
2009529815.tif 000010
【図９】
2009529815.tif 000011
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
携帯電子装置の電気インタフェースに接続するための付属品であって、該電気インタフェースは、付属品に提供される信号供給素子をバイアスする第１の接続点及び第２の接続点を含む１対のバイアス電圧供給接続点を具備しており、
第１の組の岐路の中の少なくとも１つの電気的な第１の岐路を具備し、前記第１の岐路は、
第１の分圧素子と、
機械的に作動する第１のスイッチと、を具備し、
前記第１の岐路は、前記１対のバイアス電圧供給接続点のうち一方の接続点に接続される第１の端部と、前記電気インタフェースの別の接続点に接続される第２の端部とを有し、前記第１のスイッチが前記第１の分圧素子と前記第１の端部に接続された接続点とを相互に接続した場合に、前記第１の端部に接続された接続点の電圧レベルをある特定の電圧レベルに変化させることを特徴とする付属品。
【請求項２】
前記第１の組の岐路の中の第２の岐路を更に具備し、前記第２の岐路は第２の分圧素子と、機械的に作動する第２のスイッチとを具備し、前記第２の岐路は、前記第１の岐路と同一の接続点に接続される第１の端部及び第２の端部を有し、前記第２の分圧素子は、前記第２のスイッチが前記第２の分圧素子と前記第１の端部に接続された接続点とを相互に接続した場合に、前記第１の端部に接続された接続点の電圧レベルを、第１の接続点に接続可能である他の岐路により供給される電圧レベルとは異なる特定の電圧レベルに変化させるように構成されていることを特徴とする請求項１記載の付属品。
【請求項３】
前記第１の組の岐路の中の第３の岐路を更に具備し、前記第３の岐路は、機械的に作動する第３のスイッチのみを具備し且つ前記第１の岐路と同一の接続点に接続される第１の端部及び第２の端部を有し、前記第３の岐路は、前記第３のスイッチが前記２つの接続点を相互に接続した場合に、前記第１の端部に接続された接続点の電圧レベルを、第１の接続点に接続可能である他の岐路により供給される電圧レベルとは異なる特定の電圧レベルに変化させるように構成されていることを特徴とする請求項１又は２記載の付属品。
【請求項４】
他方の接続点は一定の基準電圧レベルを供給する接続点であることを特徴とする請求項１乃至３のいずれか１項に記載の付属品。
【請求項５】
前記他方の接続点は接地電位を供給する第３の接続点であり、前記１対のバイアス電圧供給接続点のうち前記一方の接続点は前記第１の接続点であり、前記第１の接続点は、前記携帯電子装置の電圧源に内部接続されていることを特徴とする請求項４記載の付属品。
【請求項６】
前記他方の接続点は供給電圧を供給する第３の接続点であり、前記１対のバイアス電圧供給接続点のうち前記一方の接続点は前記第２の接続点であり、前記第２の接続点は前記携帯電子装置の接地点に内部接続されることを特徴とする請求項４記載の付属品。
【請求項７】
前記他方の接続点は前記１対のバイアス電圧供給接続点のうち他方の接続点であることを特徴とする請求項１乃至３のいずれか１項に記載の付属品。
【請求項８】
信号供給素子を更に具備し、各岐路の各スイッチは２つの位置を有し、第１の位置は前記岐路を前記対のうち一方の接続点に接続するように構成され、第２の位置は前記信号発生素子の一端部を前記対のうち前記一方の接続点に接続するように構成され、前記信号供給素子の別の端部は前記対のうち他方の接続点に接続されることを特徴とする請求項１乃至７のいずれか１項に記載の付属品。
【請求項９】
前記信号供給素子は調整可能な分圧素子であることを特徴とする請求項８記載の付属品。
【請求項１０】
前記信号供給素子はマイクロホンであることを特徴とする請求項８記載の付属品。
【請求項１１】
全ての分圧素子は受動素子であることを特徴とする請求項１乃至１０のいずれか１項に記載の付属品。
【請求項１２】
第２の組の岐路を更に具備し、前記第２の組の岐路は、
分圧素子及び機械的に作動するスイッチを具備する少なくとも１つの電気的な岐路を具備し、
前記岐路は、前記第２の接続点に接続される第１の端部と、基準電圧を供給する第４の接続点に接続される第２の端部とを有し、前記スイッチが前記分圧素子と前記第２の接続点とを相互に接続した場合に、前記第２の接続点の電圧レベルを特定の電圧レベルに変化させることを特徴とする請求項５記載の付属品。
【請求項１３】
前記第２の組の岐路の中の別の岐路を具備し、前記別の岐路は別の分圧素子と、機械的に作動する別のスイッチとを有し、前記別の岐路は、前記第２の組の岐路の中の前記１つの岐路と同一の接続点に接続される第１の端部及び第２の端部を有し、前記別の分圧素子は、前記別のスイッチが前記別の分圧素子と前記第２の接続点とを相互に接続した場合に、前記第２の接続点の電圧レベルを、前記第２の接続点に接続可能である他の岐路により供給される電圧レベルとは異なる特定の電圧レベルに変化させるように構成されていることを特徴とする請求項１２記載の付属品。
【請求項１４】
第３の組の岐路を更に具備し、前記第３の組の岐路は、
分圧素子及び機械的に作動するスイッチを具備する少なくとも１つの電気的な岐路を具備し、
前記岐路は、前記第１の接続点に接続される第１の端部と、前記第２の接続点に接続される第２の端部とを有し、前記スイッチが前記分圧素子と前記第１の接続点とを相互に接続した場合に、前記第１の接続点の電圧レベルを前記第１の接続点に接続可能である他の岐路により供給される電圧レベルとは異なる特定の電圧レベルに変化させることを特徴とする請求項１２又は１３記載の付属品。
【請求項１５】
前記第３の組の岐路の中の別の岐路を具備し、前記別の岐路は別の分圧素子と、機械的に作動する別のスイッチとを有し、前記別の岐路は、前記第３の組の前記１つの岐路と同一の接続点に接続される第１の端部及び第２の端部を有し、前記別の分圧素子は、前記別のスイッチが前記別の分圧素子と前記第１の接続点とを相互に接続した場合に、前記第１の接続点の電圧レベルを、前記第１の接続点に接続可能である他の岐路により供給される電圧レベルとは異なる特定の電圧レベルに変化させるように構成されていることを特徴とする請求項１４記載の付属品。
【請求項１６】
前記第３の組の岐路の中の別の岐路を具備し、前記別の岐路は、機械的に作動する別のスイッチのみを具備し且つ前記第３の組の岐路の中の前記１つの岐路と同一の接続点に接続される第１の端部及び第２の端部を有し、前記別の岐路は、前記別のスイッチが前記第１の接続点と前記第２の接続点とを相互に直接接続した場合に、前記第１の接続点の電圧レベルを、前記第１の接続点に接続可能である他の岐路により供給される電圧レベルとは異なる特定の電圧レベルに変化させるように構成されていることを特徴とする請求項１４又は１５記載の付属品。
【請求項１７】
携帯電子装置の電気インタフェースに接続するための付属品であって、該電気インタフェースは、付属品に提供される信号供給素子をバイアスする第１の接続点及び第２の接続点を含む１対のバイアス電圧供給接続点を具備しており、前記付属品は、
第１の組の岐路の中の少なくとも１つの電気的な第１の岐路を具備し、前記第１の岐路は、
分圧する手段と、
機械的に作動し、前記第１の岐路を前記１対のバイアス電圧供給接続点のうち一方の接続点に切替える手段とを具備し、
前記第１の岐路は、前記１対のバイアス電圧供給接続点のうち前記一方の接続点に接続される第１の端部と、前記電気インタフェースの別の接続点に接続される第２の端部とを有し、前記第１のスイッチが前記第１の分圧素子と前記第１の端部に接続された接続点とを相互に接続した場合に、前記第１の端部に接続された接続点の電圧レベルを、特定の電圧レベルに変化させることを特徴とする付属品。
【請求項１８】
携帯電子装置の電気インタフェースに接続される付属品において、スイッチが作動されたか否かを判定する方法であって、該電気インタフェースは、第１の接続点及び第２の接続点を含む１対のバイアス電圧供給接続点を具備しており、前記付属品は、前記第１の接続点と前記第２の接続点との間に接続され且つ前記第１の接続点及び前記第２の接続点によりバイアスされる信号供給素子と、前記信号供給素子と並列に設けられた１組の岐路の中にあり且つ第１の分圧素子及び機械的に作動する第１のスイッチを含む少なくとも１つの電気的な第１の岐路とを具備しており、前記方法は、
前記第１の接続点と前記第２の接続点との間の電圧レベル変化を検出するステップと、
前記電圧レベル変化と関連する雑音レベルを判定するステップと、
前記雑音レベルを前記信号供給素子の使用と関連する雑音レベルと比較するステップと、
前記比較に基づいて前記スイッチの作動が実行されたか否かを判定するステップと
を備えることを特徴とする方法。
【請求項１９】
信号供給素子と、該信号供給素子と並列に設けられた１組の岐路の中にあり、且つ第１の分圧素子及び機械的に作動する第１のスイッチを含む少なくとも１つの電気的な第１の岐路とを有する付属品に接続される携帯電子装置であって、
前記岐路の２つの端部及び前記信号供給素子に接続される第１の接続点及び第２の接続点を含み、前記第１の接続点及び前記第２の接続点を介して前記信号供給素子をバイアスし且つ信号及びスイッチ作動の指示を受信する１対のバイアス電圧供給接続点を有する電気インタフェースと、
前記第１の接続点と前記第２の接続点との間の電圧レベル変化を検出し、
前記電圧レベル変化と関連する雑音レベルを判定し、
前記雑音レベルを前記信号供給素子の使用と関連する雑音レベルと比較し、
前記比較に基づいて前記スイッチの作動が実行されたか否かを判定するように構成された制御ユニットと
を具備することを特徴とする携帯電子装置。
【請求項２０】
携帯電子装置の電気インタフェースに接続される付属品において、スイッチが作動されたか否かを判定するためのコンピュータプログラム製品であって、該電気インタフェースは、第１の接続点及び第２の接続点を含む１対のバイアス電圧供給接続点を具備しており、前記付属品は、前記第１の接続点と前記第２の接続点との間に接続され且つ前記第１の接続点及び前記第２の接続点によりバイアスされる信号供給素子と、前記信号供給素子と並列に設けられた１組の岐路の中にあり、第１の分圧素子及び機械的に作動する第１のスイッチを含む少なくとも１つの電気的な第１の岐路とを具備しており、コンピュータプログラムコードが前記携帯電子装置に提供された場合、
前記第１の接続点と前記第２の接続点との間の電圧レベル変化を検出するステップと、
前記電圧レベル変化と関連する雑音レベルを判定するステップと、
前記雑音レベルを前記信号供給素子の使用と関連する雑音レベルと比較するステップと、
前記比較に基づいて前記スイッチの作動が実行されたか否かを判定するステップと
を前記携帯電子装置に実行させるコンピュータプログラムコードを含むことを特徴とするコンピュータプログラム製品。
【国際調査報告】
2009529815.tif 000012
2009529815.tif 000013